(57)【要約】      （修正有）【課題】故人の生前の情報を確認しうる独自の骨壺を提供すること、及び、簡単に骨壺の装飾を変更することができる骨壺を提供する。【解決手段】骨壺１０は、丸めが施された又は施されていない角部１３を備えた上面視多角形状，上面視略円形状又は上面視略楕円形状の開口有底の筒状体又は箱状体からなる蓋体１１又は本体１２を備える。蓋体１１又は本体１２は、第一貫通孔５１と、当該第一貫通孔５１と１ｍｍ以上２０ｍｍ以下の間隔で形成された第二貫通孔５２とを備える。第一貫通孔５１及び第二貫通孔５２には、装飾物品が取り付けられる。【選択図】図２
0003159282.tif 000002
【実用新案登録請求の範囲】
【請求項１】
丸めが施された又は施されていない角部を備えた上面視多角形状，上面視略円形状又は上面視略楕円形状の開口有底の筒状体又は箱状体からなる蓋体又は本体を備え、
前記蓋体又は本体が、第一貫通孔と、当該第一貫通孔と１ｍｍ以上２０ｍｍ以下の間隔で形成された第二貫通孔とを備えたことを特徴とする骨壺。
【請求項２】
前記第一貫通孔と前記第二貫通孔とは前記角部を挟んで形成されていることを特徴とする請求項１に記載の骨壺。
【請求項３】
蓋体又は本体を備え、
前記蓋体又は本体が、第三貫通孔を備えた突起部又は第四貫通孔を形成する取っ手部を備えたことを特徴とする骨壺。
【請求項４】
前記第一貫通孔、第二貫通孔、第三貫通孔又は第四貫通孔を介して装飾物品又は情報表示体が取り付けられていることを特徴とする請求項１から３のいずれかに記載の骨壺。
【請求項５】
陶磁器製であることを特徴とする請求項１から４のいずれかに記載の骨壺。
【考案の詳細な説明】
【技術分野】
【０００１】
本考案は、骨壺に関し、更に詳しくは、故人の生前を確認し、再認識することができる装飾物品や情報表示体を取り付けることができるデコレートタイプの骨壺に関する。
【背景技術】
【０００２】
従来、神仏具・葬祭用品は、仏教宗派や地域的なしきたりに則った画一的なものであった。しかし、近年では仏教式に則って葬儀が行われることが多いとはいえ、新仏具・葬祭用品は、従来と異なり仏教宗派や地域的なしきたりよりもむしろ、親族や故人の好みやセンスで選ばれるようになってきた。
【０００３】
例えば、本考案に関連する骨壺を例に挙げると、九谷焼・信楽焼・美濃古陶・青磁・染付手描・瑠璃・白磁等で様々な紋様をあしらった骨壺、ボール型の骨壺、香水ケース型の骨壺等が広く出回っている。
【０００４】
また、特許文献１には、骨壺の蓋の上面略中央位置に、故人の写真及び故人に関する所定の文字情報からなる画像情報が表示された情報表示部が設けられた骨壺の蓋が開示されている。
【０００５】
【特許文献１】実用新案登録第３１１５４４９号
【考案の開示】
【考案が解決しようとする課題】
【０００６】
しかしながら、上記従来の骨壺は、デザインや表示する画像情報が一旦決まると、後から変更することができず、故人の生前を確認し、再認識するための故人と関連が深い物品や情報表示体等をワンポイントとしてあしらうことができない。また、親族や故人の好みやセンスの多様化に伴い、新たな工夫を凝らすことができる従来にはない独自の骨壺が関係業界から求められている。
本考案は、このような事情に鑑みてなされたものであり、本考案の目的は、故人の生前を確認し、再認識しうる独自の骨壺を提供することにある。また、本考案の他の目的は、簡単に骨壺の装飾を変更することができる骨壺を提供することにある。これにより、本考案は個性的な骨壺を提供し、故人の生前を確認し、再認識する場となる葬儀・法要等を充実させようとするものである。
【課題を解決するための手段】
【０００７】
上記課題を解決するために、
本考案に係る骨壺は、
丸めが施された又は施されていない角部を備えた上面視多角形状，上面視略円形状又は上面視略楕円形状の開口有底の筒状体又は箱状体からなる蓋体又は本体を備え、
前記蓋体又は本体が、第一貫通孔と、当該第一貫通孔と１ｍｍ以上２０ｍｍ以下の間隔で形成された第二貫通孔とを備えたことを要旨とする。
この場合に、前記第一貫通孔と前記第二貫通孔とは前記角部を挟んで形成されていることが望ましい。
【０００８】
本考案に係る骨壺は、
蓋体又は本体を備え、
前記蓋体又は本体が、第三貫通孔を備えた突起部又は第四貫通孔を形成する取っ手部を備えたことを要旨とするものでもよい。
【０００９】
本考案に係る骨壺は、上記いずれの場合においても、前記第一貫通孔、第二貫通孔、第三貫通孔又は第四貫通孔を介して装飾物品又は情報表示体が取り付けられていることが好ましい。
【００１０】
本考案に係る骨壺は、上記いずれの場合においても、陶磁器製であることが好ましい。
【考案の効果】
【００１１】
本考案に係る骨壺は、丸めが施された又は施されていない角部を備えた上面視多角形状，上面視略円形状又は上面視略楕円形状の開口有底の筒状体又は箱状体からなる蓋体又は本体を備え、前記蓋体又は本体が、第一貫通孔と、当該第一貫通孔と１ｍｍ以上２０ｍｍ以下の間隔で形成された第二貫通孔とを備えたものであるから、第一貫通孔及び第二貫通孔を介して装飾物品及び／又は情報表示体、例えば、故人の愛用品（携帯電話のストラップ、アクリル・プラスチック・木製プレート等の各種プレート・タグ、チェーン・紐、アクセサリー類）を取り付けることができ、故人の生前を確認し、再認識させる独自の骨壺とすることができるという効果がある。また、装飾物品や情報表示体は変更することができるため、故人の生前を確認し、再認識させる効果が高い。また、第一貫通孔と第二貫通孔とを角部を挟んで形成するようにすれば、装飾物品や情報表示体を取り付けやすいという効果がある。
【００１２】
本考案に係る骨壺は、蓋体又は本体を備え、前記蓋体又は本体が、第三貫通孔を備えた突起部又は第四貫通孔を形成する取っ手部を備えたものであるから、第三貫通孔及び第四貫通孔を介して装飾物品及び／又は情報表示体、例えば、故人の愛用品（携帯電話のストラップ、アクリル・プラスチック・木製プレート等の各種プレート・タグ、チェーン・紐、アクセサリー類）を取り付けることができ、故人の生前を確認し、再認識させる独自の骨壺とすることができるという効果がある。また、装飾物品や情報表示体は変更することができるため、故人の生前を確認し、再認識させる効果が高い。
【００１３】
本考案に係る骨壺は、第一貫通孔、第二貫通孔、第三貫通孔又は第四貫通孔を介して装飾物品又は情報表示体が取り付けられているものであるため、瞬時に故人の生前を確認し、再認識させるという効果がある。
【図面の簡単な説明】
【００１４】
【図１】本考案の第一の実施形態に係る骨壺１０の正面図である。
【図２】本考案の第一の実施形態に係る骨壺１０の分解斜視図である。
【図３】本考案の第一の実施形態に係る骨壺１０に装飾物品４０を取り付けた状態を示す図である。
【図４】本考案の第二の実施形態に係る骨壺２０の外観斜視図である。
【図５】本考案の第三の実施形態に係る骨壺３０の外観斜視図である。
【図６】本考案の（ａ）第二及び（ｂ）第三の実施形態に係る骨壺２０，３０に装飾物品４０を取り付けた状態を示す図である。
【考案を実施するための形態】
【００１５】
以下に図面を参照して本考案の一実施形態について説明する。
（第一の実施形態）
図１は本考案の第一の実施形態に係る骨壺１０の正面図であり、図２は骨壺１０の分解斜視図、図３は骨壺１０に装飾物品４０を取り付けた状態を示す図である。これらの図において、骨壺１０は、陶磁器製の蓋体１１と、本体１２とからなるが、材質は特に限定されず、金属製・木製・ガラス製・高分子樹脂製等各種のものが適宜用いられる。蓋体１１及び本体１２は、上面視（矢示Ａ方向）で角部１３，１３…に丸みが施された正十二角形であるが、これには限定されない。例えば、蓋体１１及び本体１２は、上面視多角形状、上面視略円形状、上面視略楕円形状等でもよい。角部１３，１３…は、丸みが施されていてもいなくてもよい。
【００１６】
蓋体１１は、蓋側周壁部１４が本体１２の内側周壁部１５に被嵌され、かつ、蓋側周壁部１４の端面１４ａが本体１２の内側周壁部１５に対して略垂直に形成されたフランジ部１６と当接する。蓋体１１の蓋側周壁部１４と蓋部１４ｂとの間の角部１３もまた丸みが施された形状である。蓋体１１の上面部分には、必要に応じて装飾や文字情報が施される。この模様や文字情報としては、故人の顔をレリーフにしたものや、故人の生前情報（肖像・プロフィール等）を用いることができる。
【００１７】
蓋体１１には、第一貫通孔５１と、第二貫通孔５２とが角部１３を挟んで形成されている。第一貫通孔５１と第二貫通孔５２とは、１ｍｍ以上２０ｍｍ以下の間隔で形成される。この間隔は、１ｍｍ以上１０ｍｍ以下がより好ましく、２ｍｍ以上６ｍｍ以下が更に好ましい。第一貫通孔５１及び第二貫通孔５２の形状は特に限定されないが、その形状が円である場合には、径が０．５ｍｍ以上１０ｍｍ以下が好ましく、１ｍｍ以上５ｍｍ以下が更に好ましい。
【００１８】
第一貫通孔５１と第二貫通孔５２を介して装飾物品４０を取り付けた一例を図３に示す。同図に示すように、第一貫通孔５１と第二貫通孔５２とを介して装飾物品４０として故人が生前使用していた物（例えば、携帯電話のストラップ、愛用のアクセサリー、スポーツグッズ用のネームプレート、旅行用のタグ）等を取り付けることができる。従って、取り替えも容易である。更に、親族等は、装飾物品４０を取り付けたり、取り替えたりする度に故人の生前の情報を確認することができる。そのため、装飾如何により独自の骨壺１０ができあがる。また、取付けが容易であるため、葬儀に間に合わなくとも四十九日法要等で簡単に取付けができる。
【００１９】
図１及び図２に示す本体１２は、筒状部分を形成する内側周壁部１５と、フランジ部１６と、胴体部１７と、底端面１８とにより形成される。底端面１８は、骨壺１０の設置面となるため平面状に形成される。内側周壁部１５は、蓋体１１が被嵌され、フランジ部１６は、当該内側周壁部１５に対して略垂直に形成される。胴体部１７は、蓋側周壁部１４と上面視で略同一形状・サイズとなる。本体１２の角部１３，１３…もまた丸みが施された形状である。胴体部１７には、必要に応じて装飾や文字情報が施される。この模様や文字情報としては、故人の顔をレリーフにしたものや、故人の生前情報（肖像・プロフィール（生年月日・死亡年月日・結婚年月日・職歴・学歴）を用いることができる。
【００２０】
（第二及び第三の実施形態）
図４は、本考案の第二の実施形態に係る骨壺２０の全体斜視図である。同図に示すように、第一貫通孔５１及び第二貫通孔５２は、本体２２に形成してもよい。
図５は、本考案の第三の実施形態に係る骨壺３０の全体斜視図である。同図に示すように、第三貫通孔が形成される突条部３３（突起部又は取手部）を蓋体３１に形成してもよい。また、図示を省略するが、突条部３３は本体３２に形成してもよい。
図４及び図５に示す骨壺２０，３０は、図６（ａ）（ｂ）にその一例を示すように装飾物品４０が取り付けられる。
【００２１】
以上本考案の一実施形態について説明したが、本考案は上記実施の形態に限定されるものではない。例えば、上記実施形態においては、装飾物品４０を取り付けるための貫通孔を一単位部分（単一の装飾物品４０を取り付けるのに適した部分を単位部分としている）に形成したが、複数単位部分に形成することは本考案の範囲に含まれる。
【産業上の利用可能性】
【００２２】
本考案に係る骨壺は、故人の生前を確認し、再確認しうる装飾物品や情報表示体を簡単に取付け取り替えることができるものであるから、故人の生前を確認し、再認識させる場となる葬儀・法要の場において需要が高い。
【符号の説明】
【００２３】
１０，２０，３０  骨壺
１１，２１，３１  蓋体
１２，２２，３２  本体  
１３  角部
１４  蓋側周壁部
１４ａ  端面
１５  内側周壁部
１６  フランジ部
１７  胴体部
３３  突条部
４０  装飾物品  
５１，５２  貫通孔
【図１】
0003159282.tif 000003
【図２】
0003159282.tif 000004
【図３】
0003159282.tif 000005
【図４】
0003159282.tif 000006
【図５】
0003159282.tif 000007
【図６】
0003159282.tif 000008